(57)【要約】【課題】  透過原稿用照明光源と反射原稿用照明光源とを利用して、フィルム原稿のゴミ・キズ情報を検出する場合に、検出精度を高く保つことが困難となっている。【解決手段】  原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備え、透過原稿と反射原稿の両方を読み取り可能な画像読取装置であって、前記第２の光源から照射され前記透過原稿で反射した光に基づいて前記データ取得手段により取得された画像データから前記透過原稿上に形成された非画像情報を検出する際に、前記透過原稿に対して前記第１の側に位置し、前記第２の光源から照射され透過原稿を透過した光を反射する光反射手段を備えることを特徴とする。【選択図】図１
2005217953.tif 000002
【特許請求の範囲】
【請求項１】
原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備え、透過原稿と反射原稿の両方を読み取り可能な画像読取装置であって、
前記第２の光源から照射され前記透過原稿で反射した光に基づいて前記データ取得手段により取得された画像データから前記透過原稿上に形成された非画像情報を検出する際に、前記透過原稿に対して前記第１の側に位置し、前記第２の光源から照射され透過原稿を透過した光を反射する光反射手段を備えることを特徴とする画像読取装置。
【請求項２】
前記第１の光源から照射され前記透過原稿を透過した光に基づいて前記データ取得手段により取得された画像データを、前記非画像情報に基づいて補正することを特徴とする請求項１に記載の画像読取装置。
【請求項３】
前記第２の光源から照射され前記透過原稿で反射した光に基づいて前記データ取得手段により取得された画像データから前記透過原稿上に形成された非画像情報を検出する検出手段と、前記第１の光源から照射され前記透過原稿を透過した光に基づいて前記データ取得手段により取得された画像データを、前記検出手段により検出された前記非画像情報に基づいて補正する補正手段とを備えることを特徴とする請求項２に記載の画像読取装置。
【請求項４】
前記第２の光源から照射され前記光反射手段により反射された光が前記データ取得手段へ入射しないことを特徴とする請求項１乃至３のいずれか１項に記載の画像読取装置。
【請求項５】
前記光反射手段は、前記第１の光源からの光を遮蔽しないことを特徴とする請求項１乃至４のいずれか１項に記載の画像読取装置。
【請求項６】
前記光反射手段は、前記第１の光源からの光を透過し前記第２の光源からの光を反射するハーフミラーであり、前記第１の光源全体を覆うように配置されることを特徴とする請求項１乃至４のいずれか１項に記載の画像読取装置。
【請求項７】
前記光反射手段を移動させる移動手段を備えたことを特徴とする請求項１乃至５のいずれか１項に記載の画像読取装置。
【請求項８】
原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備え、透過原稿と反射原稿の両方を読み取り可能な画像読取装置であって、
前記第２の光源から照射され前記透過原稿で反射した光に基づいて前記データ取得手段により取得された画像データから、前記透過原稿上に形成された非画像情報を検出する際に、前記透過原稿に対して前記第１の側に位置し、前記第２の光源から照射され透過原稿を透過した光を吸収する光吸収手段を備えることを特徴とする画像読取装置。
【請求項９】
前記第１の光源から照射され前記透過原稿を透過した光に基づいて前記データ取得手段により取得された画像データを、前記非画像情報に基づいて補正することを特徴とする請求項８に記載の画像読取装置。
【請求項１０】
前記第２の光源から照射され前記透過原稿で反射した光に基づいて前記データ取得手段により取得された画像データから前記透過原稿上に形成された非画像情報を検出する検出手段と、前記第１の光源から照射され前記透過原稿を透過した光に基づいて前記データ取得手段により取得された画像データを、前記検出手段により検出された前記非画像情報に基づいて補正する補正手段とを備えることを特徴とする請求項９に記載の画像読取装置。
【請求項１１】
前記光吸収手段は、前記第２の光源を用いて前記データ取得手段により画像データが取得される場合に、前記第１の光源全体を覆うように配置されることを特徴とする請求項８乃至１０のいずれか１項に記載の画像読取装置。
【請求項１２】
前記光吸収手段は、前記第１の光源からの光を遮蔽しないことを特徴とする請求項８乃至１１のいずれか１項に記載の画像読取装置。
【請求項１３】
前記光反射手段を移動させる移動手段を備えたことを特徴とする請求項８乃至１２のいずれか１項に記載の画像読取装置。
【請求項１４】
原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備え、透過原稿と反射原稿の両方を読み取り可能な画像読取装置であって、
前記第１の光源は、前記原稿との間に一定の距離をおいて配置され、前記一定の距離は、前記第２の光源から照射され前記透過原稿で反射した光に基づいて前記データ取得手段により取得された画像データから前記透過原稿上に形成された非画像情報を検出する際に前記第２の光源から照射され前記透過原稿を透過し、前記第１の光源で乱反射することにより発生した乱反射光が、前記データ取得手段において画像データを取得するのに必要な輝度を下回る程度まで減衰する光となる距離であることを特徴とする画像読取装置。
【請求項１５】
前記第１の光源から照射され前記透過原稿を透過した光に基づいて前記データ取得手段により取得された画像データを、前記非画像情報に基づいて補正することを特徴とする請求項１４に記載の画像読取装置。
【請求項１６】
前記第２の光源から照射され前記透過原稿で反射した光に基づいて前記データ取得手段により取得された画像データから前記透過原稿上に形成された非画像情報を検出する検出手段と、前記第１の光源から照射され前記透過原稿を透過した光に基づいて前記データ取得手段により取得された画像データを、前記検出手段により検出された前記非画像情報に基づいて補正する補正手段とを備えることを特徴とする請求項１５に記載の画像読取装置。
【発明の詳細な説明】
【技術分野】
【０００１】
この発明は写真フィルムを読み取ることによって得られる画像データの画像読み取り方法並びに装置に関する。
【背景技術】
【０００２】
近年、通信ネットワークの発達、コンピュータの高速化及び記憶媒体の大容量化に伴い、カラー画像情報を取り扱う上で、より高画質化が望まれるようになってきており、中でもスキャナなどで取りこんだカラー画像情報をより正確に高速、高画質で読み取りたいという要求が高まってきている。
【０００３】
また、写真フィルムの画像読み取りに対する要求も、複数コマを有するスリーブ形態の写真フィルム画像情報をより正確に、かつ高速及び高画質で読み取りたいという要求も高まってきている。より高画質にフィルムを読み取る方法として、フィルム上のゴミ・キズ除去処理を行う提案がなされている（例えば、特許文献１を参照。）。同提案によれば、ゴミ・キズ情報を検出するための赤外LEDと画像情報読取のための光源を有する面光源として構成されており、ゴミ・キズ情報を除去された画像を読み取ることが可能となっている。
【０００４】
同提案による読取形態を簡単に図２を用いて説明する。図２は、書類原稿等と写真フィルムをそれぞれ読み取り可能とする従来の画像読取装置の構成を示す図である。
【０００５】
画像読取装置１には、写真フィルム２０を読み取る際に必要な透過原稿用照明装置２が設置され、画像読取装置制御基板３から制御可能なように透過原稿用照明光源点灯インバータ４とI/Fケーブル５によって電気的に接続されている。図２では、被読み取り透過原稿を可視光、及び赤外光で照射するための透過原稿用照明光源６を有していることを示している。
【０００６】
また、被読み取り原稿とCCDイメージセンサ７を光学的に結像するために必要な第1反射ミラー８、第２反射ミラー９、第３反射ミラー１０、第４反射ミラー１１、第５反射ミラー１２とレンズ１３、可視光用光路長補正ガラス２１、さらに書類原稿等を照射するための反射原稿用照明光源１４を一体の移動部材とする光学ユニット１５は、画像読取装置制御基板３と信号ケーブル１６に電気的に接続されているモータ１７によって、図示された走査方向矢印の向きに走査しながら画像を読み取る構成となっている。
【０００７】
また、可視光用光路長補補正ガラス２１は、倒すことによって、光路から外したり、入れたりすることが可能となっている。CCDイメージセンサ７と画像読取装置制御基板３は、信号ケーブル１８によって電気的に接続されており、モータ１７によって、光学ユニット1５を主走査方向に動かす。画像入力制御制御基板３は、外部インターフェース１９に接続されており、このインターフェースを介して外部から画像入力制御基板を制御し、CCDイメージセンサ７により光電変換された電気信号を画像データとして、外部へ出力する。
【０００８】
フィルム原稿２０のゴミ・キズ情報を検出するために、透過原稿用照明光源６から赤外光を照射し、可視光用光路長補正ガラス２１をずらして、フィルム原稿表面で、赤外光のピントが合うように、光路長を調整する。この状態で、画像装置制御基板３を用いて、光学ユニット１５を制御することで、赤外光を照射してフィルム原稿を走査した画像データが得られる。一般的に、フィルム原稿は赤外光を透過し、ゴミ・キズ領域のみ赤外光を遮蔽するため、画像データ上の輝度を調べることで、ゴミ・キズ情報の検出が可能となる。
【０００９】
しかしながら、上記の画像読取装置では、透過原稿用照明ユニットに可視光光源のほか、赤外光光源が必要となり、さらに、可視光と赤外光の光路長を補正する手段が必要となり、画像読取装置の構造及び制御が複雑化してしまうという問題がある。
【００１０】
そこで、フィルム原稿に対し、反射原稿用照明光源を使用して、画像データを読み込み、この画像データを用いて、ゴミ・キズ情報を検出する方式が出願人によって提案されている。反射原稿用照明光源は、フィルム原稿部分は高い透過性を示すが、ゴミ・キズ領域では光が乱反射を起こし、その一部の光がCCDイメージセンサに入射することになる。この性質を利用して、フィルム原稿上のゴミ・キズ情報の検出が可能となり、赤外光光源や、光路長を補正する手段が必要なくなり、画像読取装置を安価にすることが可能となる。
【特許文献１】特開平２００１−２９８５９３号公報
【発明の開示】
【発明が解決しようとする課題】
【００１１】
しかしながら、反射原稿用照明光源を使用してゴミ・キズ情報を検出する場合には、図３を参照して説明するように、ゴミ・キズ情報の検出精度の問題が生ずる。図３において、反射原稿用照明光源１から放射されフィルム原稿２を透過した光は、別の場所、例えば透過原稿用照明光源３の光源面で乱反射を起こす。この場合、反射原稿用照明光源１から放射され、フィルム原稿２を透過した光のうち乱反射した光がCCDイメージセンサ５に入射する。従って、フィルム原稿のうちゴミ・キズが存在しない領域においても一定の輝度が得られることとなり、結果としてゴミ・キズ情報の輝度値と、それ以外の領域の輝度値との差が小さくなってしまいゴミ・キズの検知精度が落ちてしまう。
【００１２】
このように、反射原稿用照明光源を利用して、フィルム原稿のゴミ・キズ情報を検出する場合に、検出精度を高く保つことが困難となっている。
【００１３】
そこで本発明は、反射原稿用照明光源を利用してフィルム原稿のゴミ・キズ情報を検出する場合であっても、検出精度を高く保つことを目的とする。
【課題を解決するための手段】
【００１４】
上記課題を解決するための本発明は、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備え、透過原稿と反射原稿の両方を読み取り可能な画像読取装置であって、前記第２の光源から照射され前記透過原稿で反射した光に基づいて前記データ取得手段により取得された画像データから前記透過原稿上に形成された非画像情報を検出する際に前記透過原稿に対して前記第１の側に位置し、前記第２の光源から照射され透過原稿を透過した光を反射する光反射手段を備えることを特徴とする。
【００１５】
また、本発明は、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備え、透過原稿と反射原稿の両方を読み取り可能な画像読取装置であって、前記第２の光源から照射され前記透過原稿で反射した光に基づいて前記データ取得手段により取得された画像データから、前記透過原稿上に形成された非画像情報を検出する際に前記透過原稿に対して前記第１の側に位置し、前記第２の光源から照射され透過原稿を透過した光を吸収する光吸収手段を備えることを特徴とする。
【００１６】
さらに、本発明は、原稿に対して第１の側に位置する第１の光源と、前記原稿に対して前記第１の側とは逆の第２の側に位置する第２の光源と、前記第１の光源から照射され前記原稿を透過した光、及び、前記第２の光源から照射され前記原稿で反射した光を受光し、電子的な画像データを取得するデータ取得手段とを備え、透過原稿と反射原稿の両方を読み取り可能な画像読取装置であって、前記第１の光源は、前記原稿との間に一定の距離をおいて配置され、前記一定の距離は、前記第２の光源から照射され前記透過原稿で反射した光に基づいて前記データ取得手段により取得された画像データから前記透過原稿上に形成された非画像情報を検出する際に前記第２の光源から照射され前記透過原稿を透過し、前記第１の光源で乱反射することにより発生した乱反射光が、前記データ取得手段において画像データを取得するのに必要な輝度を下回る程度まで減衰する光となる距離であることを特徴とする。
【発明の効果】
【００１７】
本発明により反射原稿用照明光源を用いて、透過原稿上に付着しているゴミ・キズ等の非画像情報を検出する手法において、反射原稿用光源から照射され透過原稿を透過した光の非画像情報検出への影響を軽減することができ、ゴミ・キズ等非画像情報の検出を高精度に行うことが可能となる。
【発明を実施するための最良の形態】
【００１８】
以下、添付図面を参照して本発明の実施形態を詳細に説明する。
【００１９】
［第１の実施形態］
図１は、本実施形態の画像処理方法を実現する画像読取装置の構成例である。
【００２０】
画像読取装置１００には、写真フィルム１２０を読み取る際に必要な透過原稿用照明装置１０２が設置され、画像読取装置制御基板１０３から制御可能なように透過原稿用照明光源点灯インバータ１０４とI/Fケーブル１０５によって電気的に接続されている。同図では、被読み取り透過原稿を可視光のみを照射するための透過原稿用照明光源１０６を有していることを示している。また、透過原稿用照明光源１０６の下部に、光反射手段としてのハーフミラー１２１が設置されており、透過原稿用照明光源６側からの光は透過し、反射原稿用照明光源１１４側からの光は反射するようになっている。ハーフミラー１２１は、透過原稿用光源１０６全体を覆うように配置される。
【００２１】
画像読取装置制御基板１０３は、ＣＰＵ、ＲＯＭ、ＲＡＭ等で構成される。ここでＣＰＵはＲＯＭに格納された画像読取装置制御用のプログラムに基づいて、画像読取装置全体の制御を行う。ＲＡＭは、ＣＰＵのワークエリア、ＣＣＤイメージセンサ１０７で取得された画像データの一次格納領域として利用される。
【００２２】
被読み取り原稿とＣＣＤイメージセンサ１０７を光学的に結像するために必要な第１反射ミラー１０８、第２反射ミラー１０９、第３反射ミラー１１０、第４反射ミラー１１１、第５反射ミラー１１２とレンズ１１３、さらに書類原稿等を照射するための反射原稿用照明光源１１４を一体の移動部材とする光学ユニット１１５は、画像読取装置制御基板１０３と信号ケーブル１１６に電気的に接続されているモータ１１７によって、図示された走査方向矢印の向きに走査しながら画像を読み取る構成となっている。CCDイメージセンサ１０７と画像読取装置制御基板１０３は、信号ケーブル１１８によって電気的に接続されており、モータ１１７によって、光学ユニット１１５を主走査方向に動かす。画像読取装置制御基板１０３は、外部インターフェース１１９に接続されており、このインターフェースを介して、CCDイメージセンサ１０７により光電変換された電気信号を画像データとして外部へ出力する。
【００２３】
図４は、本実施形態の画像処理方法を実現する画像読取装置の電気的な構成を示すブロック図である。フィルム原稿を照射するための透過原稿用照明光源ユニット４０１は、透過原稿用照明光源である冷陰極蛍光ランプ４０２と、光源からの光をフィルム原稿に垂直に照射するためのライトガイド４０３が含まれる。冷陰極蛍光ランプ４０２は、冷陰極蛍光ランプ点灯回路４０４と接続されており、冷陰極蛍光ランプ点灯回路４０４はシステムコントローラ４０５によって制御される。
【００２４】
光学ユニット４０６は、反射原稿用照明光源である冷陰極蛍光ランプ４０７と、ＣＣＤイメージセンサ４０８が含まれる。冷陰極蛍光ランプ４０７は、冷陰極蛍光ランプ点灯回路４０９と接続されており、冷陰極蛍光ランプ点灯回路４０９はシステムコントローラ４０５によって制御される。ＣＣＤイメージセンサ４０８は、システムコントローラ４０５によって制御され、ＣＣＤイメージセンサ４０８から出力された信号は、アナログ処理回路４１０を通り、Ａ／Ｄ変換回路４１１を通り、画像処理回路４１２を通りバッファ４１３にたまる。システムコントローラ４０５、バッファ４１３、インターフェース４１４はバス４１５によって接続されており、相互のデータ通信が可能となっている。また、バッファ４１３にたまった信号は、画像データとしてインターフェース４１４を通り、外部機器４１６に送られる。外部機器４１６には、例えば、汎用パーソナルコンピュータが含まれる。
【００２５】
なお、図４において、システムコントローラ４０５、アナログ信号処理回路４１０、Ａ／Ｄ変換回路４１１、画像処理回路４１２、バッファ４１３は、図１における画像読取装置制御基板１０３内に構成される。
【００２６】
図５は、フィルム原稿１２０を読み取る際、反射原稿用照明光源１１４を点灯させて、ＣＣＤイメージセンサ１０７によって画像データとして取得した場合の一例を示している。この位置の状態で、反射原稿用照明１１４から放射され、フィルム原稿１２０を透過した光は、ハーフミラー１２１で正反射を起こす。このときの光の軌道は５０２に示すようになる。よって、ハーフミラー１２１で正反射した光はＣＣＤイメージセンサ１０７には入射しない。反射原稿用照明１１４の光が、ゴミ・キズ５０１の位置に入射し乱反射を起こした場合のみ、CCDイメージセンサ２に入射すため、ゴミ・キズ情報を検出するための画像データを得ることができる。
【００２７】
このようにして、反射原稿用照明光源１１４を用いてフィルム原稿１２０を読み取った場合の画像データの一例は図６に示すようになる。図６に示すように、反射原稿用照明光源１１４から放射された光のうち、フィルム原稿１２０表面のゴミ・キズ部分に照射された光が反射して、ＣＣＤイメージセンサ１０７へ入射するので、ゴミ・キズ部分のみが有意な画素値が検出される。一方、ゴミ・キズがない他の領域は、ハーフミラー１２１で反射されてＣＣＤイメージセンサ１０７へは入射しないので有意な画素値が検出されないだけでなく、全体の輝度をも抑えることができる。
【００２８】
図７は、フィルム原稿１２０を読み取る際、透過原稿用照明光源１０６を点灯させて、ＣＣＤイメージセンサ１０７によって画像データとして取得した場合の一例を示している。この位置の状態で、透過原稿用照明光源１０６から放射された光は、ハーフミラー１２１を透過し、更にフィルム原稿１２０を透過してＣＣＤイメージセンサ１０７に入射する。一方、透過原稿用照明光源１０６の光がゴミ・キズ５０１の位置に入射した場合には、当該ゴミ・キズ５０１により乱反射が生ずるので、透過原稿用照明光源１０６からの光はＣＣＤイメージセンサ１０７に入射しない。
【００２９】
このように、ハーフミラー１２１は、フィルム原稿１２０に対して反射原稿用照明光源１１４が存在する方向からの入射光を反射するが、透過原稿用照明光源１０６が存在する方向からの入射光は透過するので、透過原稿用照明光源１０６を使用して画像データを取得することができる。
【００３０】
このようにして、透過原稿用照明光源１０６を用いてフィルム原稿１２０を読み取った場合に取得される画像データの一例は、図８に示すようになる。図８に示すように、透過原稿用照明光源１０６から放射された光のうち、フィルム原稿１２０表面のゴミ・キズ部分に照射された光は遮蔽されて、ＣＣＤイメージセンサ１０７へ入射しないので、ゴミ・キズがない他の領域のみが有意な画素値として検出される。よって、画像データにはゴミ・キズ部分が残存している。
【００３１】
図９は、画像読取装置１００から出力される画像データに対し、ゴミ・キズ補正を行うゴミ・キズ除去部９００の構成の一例を示すブロック図である。当該ゴミ・キズ除去部９００は、図４に示す外部機器４１６としてのパーソナルコンピュータにおいて構成されることが好ましいが、画像読取装置１００内に構成されても良い。
【００３２】
画像読取装置１００から透過原稿用照明光源１０６で読み込まれた画像データは、インターフェース９０１を通り、透過原稿用照明光源画像メモリ９０２に蓄積される。画像読取装置１００から反射原稿用照明光源１１４で読み込まれた画像データは、インターフェース９０１を通り、反射原稿用照明光源画像メモリ９０３に蓄積される。ゴミ・キズ検出処理部９０４において、各画像メモリに蓄えられた画像データから、ゴミ・キズ情報を検出し、ゴミ・キズ補正処理部９０５によって、検出されたゴミ・キズ情報から、画像メモリに蓄えられた画像データに補正を行う。
【００３３】
図６に示すような反射原稿用照明光源画像メモリ９０３に蓄積される画像データは、ゴミ・キズ領域の場所のみに反射した光の輝度が記録されており、他の場所への入射光はハーフミラー１２１により正反射してＣＣＤイメージセンサに光が入射しないため、その輝度は記録されていない。この記録されている情報を元に、ゴミ・キズ情報の検出を行うことができる。
【００３４】
また、図８に示すような透過原稿用照明光源画像メモリ９０２に蓄積される画像データに対し、ゴミ・キズ情報からゴミ・キズの位置・大きさが特定できるため、その個所の画像データを他の場所の画像データから補間することで、ゴミ・キズが含まれない画像データ、図１０を得ることができる。なお、ここで用いられる補間技術は公知の技術ゆえ、詳細についての説明は省略する。
【００３５】
図１１を用いて、以上の動作シーケンスをフローチャートを用いて説明する。図１１のフローチャートに対応するプログラムは、画像読取装置制御基板１０３内のＲＯＭに格納され、同じく画像読取装置制御基板１０３内のＣＰＵによって実行されることにより、画像読取装置１００が図１１に示す動作シーケンスにおいて制御される。
【００３６】
ステップＳ１１０１において、反射原稿用照明光源１１４を点灯させる。ある種の冷陰極蛍光ランプでは、十分な輝度が得られるまで、多少の時間がかかるため、このステップＳにおいて、十分な輝度が得られるまで待機する。ステップＳ１１０２において、フィルム原稿１２０の読取先端位置へ光学ユニット１１５を移動させる。ステップＳ１１０３において、反射原稿用照明光源１１４を用いて、ゴミ・キズ情報の読み取りを行う。ここで取得された画像データは、反射原稿用照明光源画像メモリ９０３に格納される。
【００３７】
ステップＳ１１０４において、光学ユニット１１５を所定の待機位置へ移動させる。ステップＳ１１０５において、反射原稿用照明光源１１４を消灯させる。ステップＳ１１０６において、透過原稿用照明光源１０６を点灯させる。ある種の冷陰極蛍光ランプでは、十分な輝度が得られるまで、多少の時間がかかるため、このステップＳにおいて、十分な輝度が得られるまで待機する。ステップＳ１１０７において、フィルム原稿１２０の読取先端位置へ光学ユニット１１５を移動する。
【００３８】
ステップＳ１１０８において、透過原稿用照明光源１０６を用いて、フィルム原稿１２０の画像情報を読み取る。取得された画像データは、透過原稿用照明光源画像メモリ９０２に格納される。ステップＳ１１０９において、光学ユニット１１５を所定の待機位置へ移動させる。ステップＳ１１１０において、透過原稿用照明光源１０６を消灯させる。ステップＳ１１１１では、読み取った画像データをもとにゴミ・キズ検出処理部９０４においてゴミ・キズ情報を検出する処理を行う。ステップＳ１１１２では、ステップＳ１１１１で得られたゴミ・キズ情報を元に、ゴミ・キズ補正処理部９０５において画像データを補正する。
【００３９】
なお、図１１のシーケンスでは、最初に反射原稿用照明光源１１４を用い、次に透過原稿用照明光源１０６を用いているが、この順序は重要でなく、最初に透過原稿用照明光源１０６を用いて、次に反射原稿用照明光源１１４を用いてもよい。
【００４０】
以上のように、反射原稿用照明光源を用いて、フィルム原稿を読み取ることでゴミ・キズ情報を検知し、ゴミ・キズ画像が含まれていない画像を得る画像読取装置において、ハーフミラーを用いて反射原稿用照明光源１１４から入射する光を正反射させることにより、透過原稿用照明光源１０６における乱反射を効果的に防止して、フィルム原稿１２０におけるゴミ・キズ情報の検出を高精度に実現することが可能となる。
【００４１】
［第２の実施形態］
本実施形態における画像読取装置１００の構成は図１２に示すとおりである。図１２中の各構成部分に付した参照番号のうち図１と共通するものは、図１に示す第１の実施形態に対応する画像読取装置１００と同様の機能、構成を有するものであり、即ち、本実施形態における画像読取装置１００の構成は基本的に第１の実施形態における画像読取装置１００と同様である。
【００４２】
但し、第１の実施形態と第２の実施形態とでは、透過原稿用照明光源１０６の構成が異なる。第１の実施形態では、透過原稿用照明光源１０６は、副走査方向に移動せず、フィルム原稿１２０全体を一括して照明するように配置される。これに対し本実施形態では、モータ１２１によって透過原稿用照明光源１０６が副走査方向に移動する。
【００４３】
また、第１の実施形態ではハーフミラー１２１を利用して、透過原稿用照明光源１０６側からの光は透過し、反射原稿用照明光源１１４側からの光は反射するようにしていたが、本実施形態では、光反射手段としてミラー１２０２を用いて反射原稿用照明光源１１４からの光を反射するようにしている。
【００４４】
なお、本実施形態におけるミラー１２０２は、反射原稿用照明光源１１４からの光がＣＣＤイメージセンサ１０７に入射することを防止するために用いられるものであるので、反射原稿用照明光源１１４からの光の入射を防止できれば、光正反射するミラーのような材料だけでなく、黒体のように光を吸収する性質を有する材料を用いても良い。但し、以下では説明の簡単のためにミラー１２０２を用いた場合について説明する。
【００４５】
より具体的に、本実施形態における画像読取装置１００では、モータ１２０１によって透過原稿用照明光源１０６とミラー１２０２が副走査方向に移動する。このモータ１２０１は、画像読取制御装置基板１０３と信号ケーブル１２０３によって接続され、画像読取制御装置基板１０３によって制御される。
【００４６】
その際、透過原稿用照明光源１０６から放射された光がＣＣＤイメージセンサ１０７に入射するように同期を取って移動することが可能であり、また、反射原稿用照明光源１１４から放射された光がミラー１２０２で正反射するように同期を取って移動することも可能である。
【００４７】
図１３は、反射原稿用照明光源１１４を用いて、フィルム原稿１２０上のゴミ・キズ５０１の情報を読み取る場合の、画像読取装置１００の各構成要素の配置の一例を示している。ここで、反射原稿用照明光源１１４を点灯させ、ミラー１２０２を反射原稿用照明光源１１４から出た光が正反射する位置に移動する。図１３の場合の光学ユニット１１５とミラー１２０２との配置関係では、反射原稿用照明光源１１４から放射されフィルム原稿１２０を透過した光はミラー１２０２で正反射するので、ＣＣＤイメージセンサ１０７に入射しない。
【００４８】
この配置状態を保ちながら、光学ユニット１１５及び、ミラー１２０２を移動させて、フィルム原稿１２０を走査することで画像データを得ることができる。反射原稿用照明光源１１４の光は、ゴミ・キズ５０１の位置に入射し乱反射を起こした場合のみＣＣＤイメージセンサ１０７に入射するので、ゴミ・キズ情報に対応する画像データを得ることができる。このとき得られる画像データの一例は、図６に示すようになる。
【００４９】
図１４は、透過原稿用照明光源１０６を用いて、フィルム原稿１２０の画像データを読み取る場合の、画像読取装置１００の各構成要素の配置の一例を示している。ここで、反射原稿用照明光源１１４を消灯させ、透過光源用照明光源１０６のみを点灯させておく。また、透過原稿用照明光源１０６から放射された光が光学ユニット１１５内のＣＣＤイメージセンサ１０７に入射する位置に透過原稿用照明光源１０６を移動させる。
【００５０】
この配置状態を保ちながら、光学ユニット１１５及び、透過原稿用照明光源１０６を移動させて、フィルム原稿１２０を走査することで画像データを得ることができる。透過原稿用照明光源１０６の光は、ゴミ・キズ５０１が存在しないフィルム領域ではフィルム原稿１２０を透過してＣＣＤイメージセンサ１０７に入射する。しかし、ゴミ・キズ５０１の位置に入射し遮蔽された場合にはＣＣＤイメージセンサ１０７に入射しないので、ゴミ・キズ情報を含んだフィルム原稿１２０の画像データを得ることができる。このとき得られる画像データの一例は、図８に示すようになる。
【００５１】
このように、本実施形態においても、図６に対応する画像データには、ゴミ・キズ領域の場所のみ、反射した光の輝度が記録されている。この記録されている情報を元にして、ゴミ・キズ情報の検出を行う。図８に対応する画像データに対し、ゴミ・キズ情報からゴミ・キズの位置・大きさが特定できるため、その個所の画像データを他の場所の画像データから補間することで、ゴミ・キズが含まれない例えば図１０に示すような画像データを得ることができる。
【００５２】
次に、本実施形態における画像読取装置１００における動作シーケンスを、図１５のフローチャートを参照して説明する。図１５に示すフローチャートに対応するプログラムは、画像読取装置制御基板１０３内のＲＯＭに格納され、同じく画像読取装置制御基板１０３内のＣＰＵによって実行されることにより、画像読取装置１００が図１５に示す動作シーケンスにおいて制御される。
【００５３】
ステップＳ１５０１において、反射原稿用照明光源１１４が点灯される。ある種の冷陰極蛍光ランプでは、十分な輝度が得られるまで、多少の時間がかかるため、このステップにおいて、十分な輝度が得られるまで待機する。ステップＳ１５０２において、反射原稿用照明光源１１４から放射された光が正反射する位置にミラー１２０２を移動する。ステップＳ１５０３において、光学ユニット１１５を読み取るフィルム原稿１２０が置いてある読取先端位置へ、ミラー１２０２を同期させながら移動する。
【００５４】
ステップＳ１５０４において、反射原稿用照明光源１１４を用いて画像を読み取る。ステップＳ１５０５において、光学ユニット１１５及びミラー１２０２を所定の待機位置へ移動させておく。ステップＳ１５０６において、反射原稿用照明光源１１４を消灯させる。ステップＳ１５０７において、透過原稿用照明光源１０６を点灯させ、光学ユニット１１５に光が入射する位置に移動する。ある種の冷陰極蛍光ランプでは、十分な輝度が得られるまで、多少の時間がかかるため、ここにおいて、十分な輝度が得られるまで待機する。
【００５５】
ステップＳ１５０８において、光学ユニット１１５を読み取るフィルム原稿１２０が置いてある読取先端位置へ、透過原稿用照明光源１０６を同期させながら移動する。ステップＳ１５０９において、透過原稿用照明光源１０６を用いてフィルム原稿１２０の画像データを読み取る。ステップＳ１５１０において、光学ユニット１１５及び透過原稿用照明光源１０６を所定の待機位置へ移動させておく。
【００５６】
ステップＳ１５１１において、透過原稿用照明光源１０６を消灯させる。ステップＳ１５１２において、読み取った画像データをもとにゴミ・キズ情報を検出する処理を、ゴミ・キズ検出処理部９０４にて行う。ステップＳ１５１３において、ステップＳ１５１０で得られたゴミ・キズ情報を元に、ゴミ・キズ補正処理部９０５にて画像データを補正する。
【００５７】
なお、以上のシーケンスでは、最初に反射原稿用照明光源１１４を用いて、次に透過原稿用照明光源１０６を用いているが、この順序は重要でなく、最初に透過原稿用照明光源１０６を用いて、次に反射原稿用照明光源１１４を用いてもよい。
【００５８】
以上のように、本実施形態では、反射原稿用照明光源１１４を用いてフィルム原稿１２０を読み取ることでゴミ・キズ情報を検知し、ゴミ・キズ画像が含まれていない画像を得る画像読取装置において、ミラー又は黒体を用いて反射原稿用照明光源１１４からの光がＣＣＤイメージセンサに入射しないようにして、高精度にゴミ・キズ情報を検出することが可能となる。
【００５９】
［第３の実施形態］
本実施形態における画像読取装置１００の構成は図１に示すものとほぼ同様であるので、図を省略する。
【００６０】
但し、第１の実施形態と第３の実施形態とでは、反射原稿用照明光源１１４からの光が透過原稿用照明光源１０６において反射してＣＣＤイメージセンサ１０７へ入射することを防止するための構成が異なる。
【００６１】
第１の実施形態ではハーフミラー１２１を利用して、透過原稿用照明光源１０６側からの光は透過し、反射原稿用照明光源１１４側からの光は反射するようにしていたが、本実施形態では、図１６に示すようにミラー１６０１を用いて反射原稿用照明光源１１４からの光を反射させるようにしている。ミラー１６０１は、透過原稿用光源１０６全体を覆うようことができるサイズで構成される。
【００６２】
なお、本実施形態におけるミラー１６０１は、反射原稿用照明光源１１４からの光がＣＣＤイメージセンサ１０７に入射することを防止するために用いられるものであるので、反射原稿用照明光源１１４からの光の入射を防止できれば、光を正反射するミラーのような材料だけでなく、黒体のように光を吸収する性質を有する材料を用いても良い。但し、以下では説明の簡単のためにミラー１６０１を用いた場合について説明する。
【００６３】
図１６は、本実施形態に対応する透過原稿用照明装置１０２を、画像読取装置１００の上方から見た場合の一例を示した図である。ここにおいて、透過原稿用照明光源１０６は、透過原稿用光源点灯インバータ１０４に接続され、透過原稿用照明光源１０６からの光を正反射するためのミラー１６０１を、モータ１６０２の駆動によって移動させることができる。モータ１６０２は、配線１６０３により、画像読取装置制御基板１０３と接続され、その動作が制御される。
【００６４】
即ち、モータ１６０２は、画像読取装置制御基板１０３からの制御により図１６に示すように時計回り又は反時計回りに回転し、ミラー１６０１を透過原稿用照明光源１０６とフィルム原稿１２０との間に挿入したり、引き抜いたりするように動作する。
【００６５】
図１７は、反射原稿用照明光源１１４を用いて、フィルム原稿を読み取るときの、各構成要素の配置の一例を示している。このときミラー１６０１は、反射原稿用照明光源１１４からの光を正反射する位置に配置される。この状態を保ちながら、光学ユニット１１５を用いて、フィルム原稿１２０を走査することで画像データを得ることができる。反射原稿用照明光源１１４の光が、ゴミ・キズ５０１の位置に入射し乱反射を起こした場合のみ、光学ユニット１１５の中に入射してＣＣＤイメージセンサ１０７に入射するが、ゴミ・キズの位置以外はミラー１６０１で正反射を起こすため、光学ユニット１１５に入射せずＣＣＤイメージセンサ１０７にも入射しない。この時取得される画像データは、例えば、図６に示すようになる。
【００６６】
図１８は、透過原稿用照明光源１０６を用いて、フィルム原稿１２０を読み取るときの各構成要素の配置の一例を示している。このときミラー１６０１は、透過原稿用照明光源１０６を遮光しない位置に配置される。この場合、フィルム原稿１２０を透過した光が、光学ユニット１１５の中を通り、CCDイメージセンサ１０７に入射する。この状態を保ちながら、光学ユニット１１５を用いて、フィルム原稿１２０を走査することでフィルム原稿１２０の画像データを得ることができる。この時取得される画像データは、例えば、図８に示すようになる。
【００６７】
このように、本実施形態においても、図６に対応する画像データには、ゴミ・キズ領域の場所のみ、反射した光の輝度が記録されている。この記録されている情報を元にして、ゴミ・キズ情報の検出を行う。図８に対応する画像データに対し、ゴミ・キズ情報からゴミ・キズの位置・大きさが特定できるため、その個所の画像データを他の場所の画像データから補間することで、ゴミ・キズが含まれない例えば図１０に示すような画像データを得ることができる。
【００６８】
次に、本実施形態に対応する画像読取装置１００の動作シーケンスを図１９のフローチャートを参照して説明する。図１９に示すフローチャートに対応するプログラムは、画像読取装置制御基板１０３内のＲＯＭに格納され、同じく画像読取装置制御基板１０３内のＣＰＵによって実行されることにより、画像読取装置１００が図１９に示す動作シーケンスにおいて制御される。
【００６９】
ステップＳ１９０１において、反射原稿用照明光源１１４を点灯させる。ある種の冷陰極蛍光ランプでは、十分な輝度が得られるまで、多少の時間がかかるため、このステップにおいて、十分な輝度が得られるまで待機する。
【００７０】
ステップＳ１９０２において、反射原稿用照明光源１１４から放射された光が正反射する位置にミラー１６０１を移動する。ステップＳ１９０３において、光学ユニット１１５を、フィルム原稿１２０の読取先端位置へ移動する。ステップＳ１９０４において、反射原稿用照明光源１１４を用いて画像を読み取る。ステップＳ１９０５において、光学ユニット１１５を所定の待機位置へ移動させておく。ステップＳ１９０６において、反射原稿用照明光源１１４を消灯させる。
【００７１】
ステップＳ１９０７において、透過原稿用照明光源１０６から放射された光が、光学ユニット１１５に入射するように、ミラー１６０１を移動する。ステップＳ１９０８において、透過原稿用照明光源１０６を点灯させる。ある種の冷陰極蛍光ランプでは、十分な輝度が得られるまで、多少の時間がかかるため、このステップにおいて、十分な輝度が得られるまで待機する。ステップＳ１９０９において、光学ユニット１１５を、フィルム原稿の読取先端位置へ移動する。
【００７２】
ステップＳ１９１０において、透過原稿用照明光源１０６を用いて、画像を読み取る。ステップＳ１９１１において、光学ユニット１１５を所定の待機位置へ移動させておく。ステップＳ１９１２において、透過原稿用照明光源１０６を消灯させる。ステップＳ１９１３において、読み取った画像データをもとにゴミ・キズ情報をゴミ・キズ検出処理部９０４において検出する処理を行う。ステップＳ１９１４において、ステップＳ１９１１で得られたゴミ・キズ情報を元に、ゴミ・キズ補正処理部９０５において画像データを補正する。
【００７３】
なお、このシーケンスでは、最初に反射原稿用照明光源１１４を用いて、次に透過原稿用照明光源１０６を用いているが、この順序は重要でなく、最初に透過原稿用照明光源１０６を用いて、次に反射原稿用照明光源１１４を用いてもよい。
【００７４】
以上のように、反射原稿用照明光源１１４を用いて、フィルム原稿１２０を読み取ることでゴミ・キズ情報を検知し、ゴミ・キズ画像が含まれていない画像を得る画像読取装置において、ミラーや黒体を用いて反射原稿用照明光源１１４からの光を正反射させることで、高精度にゴミ・キズ情報を検出することが可能となる。
【００７５】
［第４の実施形態］
本実施形態における画像読取装置１００の構成は図１に示すものとほぼ同様であるので、図を省略する。
【００７６】
但し、第１の実施形態と本第４の実施形態とでは、反射原稿用照明光源１１４からの光が透過原稿用照明光源１０６において反射してＣＣＤイメージセンサ１０７へ入射することを防止するための構成が異なる。
【００７７】
第１の実施形態ではハーフミラー１２１を利用して、透過原稿用照明光源１０６側からの光は透過し、反射原稿用照明光源１１４側からの光は反射するようにしていたが、本実施形態では、図２０に示すように透過原稿用照明光源１０６自体の配置位置を調節することにより、反射原稿用照明光源１１４からの光がＣＣＤイメージセンサ１０７へ入射しないようにしている。
【００７８】
図２０は、本実施形態に対応する画像読取装置における各構成要素の配置の一例を示す図である。
【００７９】
ここにおいて、透過原稿用照明光源１０６は、フィルム原稿１２０から距離Ｄだけ離れて配置される。この距離Ｄは、反射原稿用照明光源１１４から放射され、フィルム原稿１２０を透過し、透過原稿用照明光源１０６で乱反射することにより発生した乱反射光が、再度フィルム１２０を透過し、光学ユニット１１５に入射し、ＣＣＤイメージセンサ１０７に入射するまでに、ＣＣＤイメージセンサ１０７において検知されるレベルまで達しない輝度に減衰するために十分な距離として特定される。
【００８０】
よって、図２０に示す配置関係では、フィルム原稿１２０を透過して光学ユニット１１５に入射した乱反射光は、ＣＣＤイメージセンサ１０７に入射する際には、センサ１０７の感度を下回る輝度しか有していないため、乱反射光自体が画像データとして検出されることはない。一方、フィルム原稿１２０上のゴミ・キズ５０１で反射された光は、直接光学ユニット１１５に入射し、ＣＣＤイメージセンサ１０７が検知可能な輝度レベルでセンサ１０７へ入射するので、ゴミ・キズ情報として検知される。この場合に取得される画像データの一例は、図６に示すようになる。
【００８１】
図２１は、フィルム原稿１２０を読み取る際、透過原稿用照明光源１０６を点灯させて、CCDイメージセンサ１０７によって、フィルム原稿１２０の画像データを取得する場合の、各構成要素の配置の一例を示す図である。ここでは、透過原稿用照明光源１０６から放射された光は、図２０における乱反射光とは異なり十分な輝度を持ってフィルム原稿１２０へ照射されるので、照射された光はフィルム原稿１２０を透過し、CCDイメージセンサ１０７に入射する。この場合に取得される画像データの一例は、図８に示すようになる。
【００８２】
このように、本実施形態においても、図６に対応する画像データには、ゴミ・キズ領域の場所のみ、反射した光の輝度が記録されている。この記録されている情報を元にして、ゴミ・キズ情報の検出を行う。図８に対応する画像データに対し、ゴミ・キズ情報からゴミ・キズの位置・大きさが特定できるため、その個所の画像データを他の場所の画像データから補間することで、ゴミ・キズが含まれない例えば図１０に示すような画像データを得ることができる。
【００８３】
なお、本実施形態に対応する画像読取装置１００における動作シーケンスは、第1の実施形態で説明した動作シーケンスと同様である。即ち、図１１に示すフローチャートに対応するプログラムが、画像読取装置制御基板１０３内のＲＯＭに格納され、同じく画像読取装置制御基板１０３内のＣＰＵによって実行されることにより、画像読取装置１００が図１１に示す動作シーケンスにおいて制御される。
【００８４】
以上のように、反射原稿用照明光源１１４を用いて、フィルム原稿１２０を読み取ることでゴミ・キズ情報を検知し、ゴミ・キズ画像が含まれていない画像を得る画像読取装置１００において、乱反射を起こす物体との距離を作り乱反射光を減衰させることで、高精度にゴミ・キズ情報を検出することが可能となる。
【００８５】
[その他の実施形態]
本発明の目的は、前記した実地形態の機能を実現するソフトウェアのプログラムコードを記録した記憶媒体、または記録媒体が、システム、または装置に付随し、そのシステム、または装置のコンピュータ（処理演算装置を含む）が記憶媒体、または記録媒体に記録されたソフトウェアのプログラムコードを読み出し、実行することによっても達成される。この場合、記憶媒体、または記憶媒体から読み出されたソフトウェアのプログラムコードが前記した実施形態の機能を実現することになる。そして、そのソフトウェアのプログラムコードを記録された記憶媒体、または記録媒体は、本発明を構成する。
【００８６】
また、システム、または装置のコンピュータが読み出したソフトウェアのプログラムコードを実行することにより、前記した実施形態の機能が実現するだけでなく、そのソフトウェアのプログラムコードの内容にもとづき、コンピュータ上で稼動しているオペレーションシステムが実際の処理の一部、または全部を担い、その処理によって前記した実施形態の機能が実現することになる。
【００８７】
記憶媒体、または記録媒体から読み出されたソフトウェアのプログラムコードが、システム、または装置のコンピュータに付随する機能を拡張するためのハードウェアに備わる記憶媒体、または記録媒体に移された後、そのソフトウェアのプログラムコードの内容にもとづき、システム、または装置のコンピュータに付随する機能を拡張するためのハードウェアに備わる処理演算装置などが、実際の処理の一部、または全部を担い、その処理によって前記した実施形態の機能が実現することになる。
【図面の簡単な説明】
【００８８】
【図１】本発明の第１の実施形態に対応する画像読取装置１００の構成の一例を示す図である。
【図２】従来の画像読取装置の構成を示す図である。
【図３】従来の画像読取装置の一部の構成要素の配置を示す図である。
【図４】本発明の第１の実施形態に対応する画像読取装置１００の電気的な構成の一例を示すブロック図である。
【図５】本発明の第１の実施形態に対応する、反射原稿用照明光源１１４を用いてフィルム原稿１２０を読み取る場合を説明するための図である。
【図６】本発明の実施形態に対応する、反射原稿用照明光源１１４を用いて取得された画像データの一例を示す図である。
【図７】本発明の第１の実施形態に対応する、透過原稿用照明光源１０６を用いてフィルム原稿１２０を読み取る場合を説明するための図である。
【図８】本発明の実施形態に対応する、透過原稿用照明光源１０６を用いて取得された画像データの一例を示す図である。
【図９】本発明の実施形態に対応する、ゴミ・キズ補正を行うゴミ・キズ除去部９００の機能構成の一例を示すブロック図である。
【図１０】本発明の実施形態に対応する、ゴミ・キズ除去部９００においてゴミ・キズ情報が除去された画像データの一例を示す図である。
【図１１】本発明の第１の実施形態に対応する画像読取装置１００の動作シーケンスに対応するフローチャートの一例である。
【図１２】本発明の第２の実施形態に対応する画像読取装置１００の構成の一例を示す図である。
【図１３】本発明の第２の実施形態に対応する、反射原稿用照明光源１１４を用いてフィルム原稿１２０を読み取る場合を説明するための図である。
【図１４】本発明の第２の実施形態に対応する、透過原稿用照明光源１０６を用いてフィルム原稿１２０を読み取る場合を説明するための図である。
【図１５】本発明の第２の実施形態に対応する画像読取装置１００の動作シーケンスに対応するフローチャートの一例である。
【図１６】本発明の第３の実施形態に対応する、透過原稿用照明装置１０２の構成の一例を示す図である。
【図１７】本発明の第３の実施形態に対応する、反射原稿用照明光源１１４を用いてフィルム原稿１２０を読み取る場合を説明するための図である。
【図１８】本発明の第３の実施形態に対応する、透過原稿用照明光源１０６を用いてフィルム原稿１２０を読み取る場合を説明するための図である。
【図１９】本発明の第３の実施形態に対応する画像読取装置１００の動作シーケンスに対応するフローチャートの一例である。
【図２０】本発明の第４の実施形態に対応する、反射原稿用照明光源１１４を用いてフィルム原稿１２０を読み取る場合を説明するための図である。
【図２１】本発明の第４の実施形態に対応する、透過原稿用照明光源１０６を用いてフィルム原稿１２０を読み取る場合を説明するための図である。
【図１】
2005217953.tif 000003
【図２】
2005217953.tif 000004
【図３】
2005217953.tif 000005
【図４】
2005217953.tif 000006
【図５】
2005217953.tif 000007
【図６】
2005217953.tif 000008
【図７】
2005217953.tif 000009
【図８】
2005217953.tif 000010
【図９】
2005217953.tif 000011
【図１０】
2005217953.tif 000012
【図１１】
2005217953.tif 000013
【図１２】
2005217953.tif 000014
【図１３】
2005217953.tif 000015
【図１４】
2005217953.tif 000016
【図１５】
2005217953.tif 000017
【図１６】
2005217953.tif 000018
【図１７】
2005217953.tif 000019
【図１８】
2005217953.tif 000020
【図１９】
2005217953.tif 000021
【図２０】
2005217953.tif 000022
【図２１】
2005217953.tif 000023